(57)【要約】【目的】通話機能を損なうことなく，高速の画像処理を実現する。【構成】カメラ付携帯電話機１は，クロック・パルスを発生するクロック装置１６，発生したクロック・パルスのクロックレートを変更可能なクロック制御回路１７を含む。撮像された被写体像を表す画像データの画像処理時には，電源回路２１からＣＰＵ１１に高い電力が供給され，高速レートのクロック・パルスでＣＰＵ１１が駆動する。アンテナ５から呼データが受信されると，クロック制御回路１７にクロック・ダウン指令が与えられ，ＣＰＵ１１に与えられるクロック・パルスのレートが低下しＣＰＵ１１の消費電力が低下する。ＣＰＵ１１に供給されていた分の余剰電力が，音声処理回路２２，送受信回路２３等の通話のための回路に供給される。【選択図】  図２
2004336505.tif 000002
【特許請求の範囲】
【請求項１】
クロック・パルスを発生するクロック・パルス発生装置，
与えられる指令に基づいてクロック・パルス発生装置において発生したクロック・パルスのクロックレートを変更し，与えられる指令に基づくクロックレートのクロック・パルスを出力するクロック・パルス出力手段，
被写体を撮像することにより被写体像を表す画像データを出力する撮像手段，クロック・パルス出力手段から出力されるクロック・パルスに基づいて動作し，上記撮像手段から出力される画像データを処理する画像データ処理手段，
音声を入力するマイクロフォン，音声を出力するスピーカ，呼データおよび音声データを送受信する送受信回路，ならびにマイクロフォンから入力される音声を音声データに変換し，かつ音声データを音声に変換してスピーカに与える音声処理回路を含む通話手段，ならびに
上記送受信回路によって呼データが受信されたことに応答して，上記画像データ処理手段が画像データの処理中であるかどうかを判定する第１判定手段，
上記第１判定手段によって画像データ処理手段が画像データの処理中であることが判定された場合に，画像データ処理手段に与えるクロック・パルスのクロックレートを低下させるように，クロック・パルス出力手段にクロック・ダウン指令を与えるクロック・ダウン指令手段，
を備えたカメラ付携帯電話機。
【請求項２】
上記画像データ処理手段は画像データを圧縮して圧縮画像データを生成する手段を含み，
上記第１判定手段は，画像データの圧縮処理中であることを判定するものである，
請求項１に記載のカメラ付携帯電話機。
【請求項３】
呼出強制終了または通話の終了を判定する第２判定手段，および
上記第２判定手段によって呼出強制終了または通話の終了が判定されたことに応じて，画像データ処理手段に与えられるクロック・パルスのクロックレートが元のクロックレートに戻るように，クロック・パルス出力手段にクロック・アップ指令を与えるクロック・アップ指令手段，
を備えた請求項１または２に記載のカメラ付携帯電話機。
【請求項４】
クロック・パルスを発生するクロック・パルス発生装置，与えられる指令に基づいてクロック・パルス発生装置において発生したクロック・パルスのクロックレートを変更し，与えられる指令に基づくクロックレートのクロック・パルスを出力するクロック・パルス出力手段，被写体を撮像することにより被写体像を表す画像データを出力する撮像手段，クロック・パルス出力手段から出力されるクロック・パルスに基づいて動作し，上記撮像手段から出力される画像データを処理する画像データ処理手段，音声を入力するマイクロフォン，音声を出力するスピーカ，呼データおよび音声データを送受信する送受信回路，ならびにマイクロフォンから入力される音声を音声データに変換し，かつ音声データを音声に変換してスピーカに与える音声処理手段を含む通話手段を備えたカメラ付携帯電話機において，
上記送受信回路によって呼データが受信されたことに応答して，上記画像データ処理手段が画像データの処理中であるかどうかを判定し，
画像データ処理手段が画像データの処理中であることが判定された場合に，画像データ処理手段に与えるクロック・パルスのクロックレートを低下させるように，クロック・パルス出力手段に指令を与える，
カメラ付携帯電話機の制御方法。
【発明の詳細な説明】
【０００１】
【技術分野】
この発明は，カメラ付携帯電話機およびその制御方法に関する。
【０００２】
【発明の背景】
カメラ付携帯電話機は，その基本的機能である通話機能と，被写体を撮像してディジタル画像データを得るカメラ機能とを兼ね備えたものである。
【０００３】
携帯電話機の小型化により，携帯電話機に搭載する電源容量の大きさも制限されるようになっている。消費電力をできるだけ消費しないようにするために，待ち受け時の小電力化を図るもの等が提案されている（特許文献１）。
【０００４】
カメラ付携帯電話機では，画像処理のためにＣＰＵが用いられる。ＣＰＵは消費電力が比較的大きく，画像処理を行うとＣＰＵによって電源から供給される電力が大幅に消費される。また，高速で画像処理を行うにはＣＰＵに比較的高い電力を供給する必要がある。高速の画像処理を実現するには，電源が供給する電力を，できるだけ高い割合でＣＰＵ等の画像処理のための回路に供給することが好ましい。しかしながら，画像処理のための回路に高い電力を供給すると，携帯電話機に搭載する電源容量（供給電力量）には限りがあるために，画像処理中にカメラ付携帯電話機の基本的機能である通話機能を使用しようとした場合に，通話機能に必要とされる電力が不足してしまう。
【０００５】
【特許文献１】
特開平１１−８８２５２
【０００６】
【発明の開示】
この発明は，画像処理速度をできるだけ高めることができ，かつ携帯電話機の基本的機能である通話機能に支障がないようにすることを目的とする。
【０００７】
この発明によるカメラ付携帯電話機は，クロック・パルスを発生するクロック・パルス発生装置，与えられる指令に基づいてクロック・パルス発生装置において発生したクロック・パルスのクロックレートを変更し，与えられる指令に基づくクロックレートのクロック・パルスを出力するクロック・パルス出力手段，被写体を撮像することにより被写体像を表す画像データを出力する撮像手段，クロック・パルス出力手段から出力されるクロック・パルスに基づいて動作し，上記撮像手段から出力される画像データを処理する画像データ処理手段，音声を入力するマイクロフォン，音声を出力するスピーカ，呼データおよび音声データを送受信する送受信回路，ならびにマイクロフォンから入力される音声を音声データに変換し，かつ音声データを音声に変換してスピーカに与える音声処理回路を含む通話手段，上記送受信回路によって呼データが受信されたことに応答して，上記画像データ処理手段が画像データの処理中であるかどうかを判定する第１判定手段，ならびに上記第１判定手段によって画像データ処理手段が画像データの処理中であることが判定された場合に，画像データ処理手段に与えるクロック・パルスのクロックレートを低下させるように，クロック・パルス出力手段にクロック・ダウン指令を与えるクロック・ダウン指令手段を備えたことを特徴とする。
【０００８】
この発明は，上記カメラ付携帯電話機に適した制御方法も提供している。この方法は，クロック・パルスを発生するクロック・パルス発生装置，与えられる指令に基づいてクロック・パルス発生装置において発生したクロック・パルスのクロックレートを変更し，与えられる指令に基づくクロックレートのクロック・パルスを出力するクロック・パルス出力手段，被写体を撮像することにより被写体像を表す画像データを出力する撮像手段，クロック・パルス出力手段から出力されるクロック・パルスに基づいて動作し，上記撮像手段から出力される画像データを処理する画像データ処理手段，音声を入力するマイクロフォン，音声を出力するスピーカ，呼データおよび音声データを送受信する送受信回路，ならびにマイクロフォンから入力される音声を音声データに変換し，かつ音声データを音声に変換してスピーカに与える音声処理回路を含む通話手段を備えたカメラ付携帯電話機において，上記送受信回路によって呼データが受信されたことに応答して，上記画像データ処理手段が画像データの処理中であるかどうかを判定し，画像データ処理手段が画像データの処理中であることが判定された場合に，画像データ処理手段に与えるクロック・パルスのクロックレートを低下させるように，クロック・パルス出力手段にクロックダウン指令を与えるものである。
【０００９】
この発明によると，画像データの処理中に呼データを受信したとき（着信したとき）に，画像データ処理手段に与えられるクロック・パルスのクロックレートが下げられる。与えられるクロック・パルスのクロックレートが低下すると，画像データ処理手段において消費される電力は小さくなる。消費電力が小さくなった分の余剰電力を通話手段に供給することができる。
【００１０】
この発明によると，カメラ付携帯電話機が通話のために用いられていない状態においては，通話手段にほとんど電力を供給する必要がないので，電源から供給することができる電力を高い割合で画像データ処理手段に供給することができる。高いクロックレートの（高速の）クロック・パルスによって画像データ処理手段を動作させることができるので，画像データの処理を高速に実行することができる。
【００１１】
画像処理中に着信があったときには，上述のように，通話機能を確保するために，画像データ処理手段に与えられるクロック・パルスのクロックレートを下げられるので，余剰電力が生じる。画像データ処理手段に供給されていた電力の一部（余剰電力）が通話手段に供給される。このため，通話機能が損なわれてしまうこともない。
【００１２】
画像データ処理には，補正処理，圧縮処理，保存処理等の種々の処理が含まれる。これらの画像データ処理のうち，画像データ圧縮処理の電力消費量が比較的大きい。一実施態様では，上記第１判定手段は，画像データの圧縮処理中であることを判定する。画像データの圧縮処理中に上記送受信手段によって呼データが受信されたことが判定されると，画像データ処理手段に与えられるクロック・パルスのクロックレートが下げられ，これにより画像データ処理手段の消費電力が低下する。余剰電力が通話手段に与えられる。
【００１３】
好ましくは，呼出強制終了または通話の終了を判定する第２判定手段，上記第２判定手段によって呼出強制終了または通話の終了が判定されたことに応答して，画像データ処理手段に与えられるクロック・パルスのクロックレートが元に戻るように，クロック出力手段にクロック・アップ指令を与えるクロック・アップ指令手段が備えられる。クロック・パルスのクロックレートがアップするので，画像処理速度を再び高めることができ，画像処理を短い時間で終了させることができる。
【００１４】
【実施例】
図１は，折り畳み式のカメラ付携帯電話機１の外観を示す斜視図である。図２は，カメラ付携帯電話機１の電気的構成を示すブロック図である。
【００１５】
カメラ付携帯電話機１の上側半体には，その中央に表示画面を含む表示装置２が設けられている。表示装置２の上部にスピーカ３が，スピーカ３の右側にカメラ・レンズ４がそれぞれ設けられている。上側半体の側面部分にはアンテナ５が設けられている。
【００１６】
カメラ付携帯電話機１の下側半体には，テンキーボタン６，通話ボタン７，切ボタン８を含む入力ボタン群１０およびマイクロフォン（レシーバ）９が設けられている。
【００１７】
カメラ付携帯電話機１はＣＰＵ１１を含み，カメラ付携帯電話機１の全体的な動作はＣＰＵ１１によって統括的に制御される。
【００１８】
カメラ付携帯電話機１は電源回路２１を含み，電源回路２１からカメラ付携帯電話機１の各種回路に電力が供給される。
【００１９】
ＣＰＵ１１，後述する信号処理回路１５，一時記憶メモリ１８および保存用メモリ１９には，クロック制御回路１７から所定のクロックレートのクロック・パルスが与えられる。クロック制御回路１７は，クロック装置１６において発生するクロック・パルスに基づいて，４種類のクロックレートのクロック・パルスを生成する。生成された４種類のクロック・パルスがＣＰＵ１１，信号処理回路１５，一時記憶メモリ１８および保存用メモリ１９のそれぞれに与えられる。与えられるクロック・パルスにしたがって，ＣＰＵ１１，信号処理回路１５および一時記憶メモリ１８および保存用メモリ１９が動作する。
【００２０】
与えられるクロック・パルスのクロックレートに応じて，ＣＰＵ１１，信号処理回路１５および一時記憶メモリ１８および保存用メモリ１９の消費電力は変動する。与えられるクロック・パルスのクロックレートに応じて処理能力（処理速度）も変動する。ＣＰＵ１１を例にとると，高速のクロックレートのクロック・パルスが与えられると処理能力が高く（速く）なり，ＣＰＵ１１の消費電力も高くなる。逆に低速のクロックレートのクロック・パルスが与えられると，ＣＰＵ１１の処理能力は高速クロックレートのクロック・パルスが与えられている状態に比べて低くなり，消費電力も低下する。
【００２１】
カメラ付携帯電話機１は，ＣＣＤ１４および信号処理回路１５を含む。携帯電話機１の操作者が操作ボタン群１０を用いて撮影を実行すると，レンズ４を通してＣＣＤ１４の受光面上に結像する被写体像を表す画像データがＣＣＤ１４から出力される。ＣＣＤ１４から出力される画像データは信号処理回路１５に入力する。
【００２２】
信号処理回路１５は，ＣＰＵ１１と協働して，ＣＣＤ１４から出力される画像データに対して，ガンマ補正，色バランス補正などの所定の信号処理を実行する。信号処理された後の被写体像を表す画像データは一時記憶メモリ１８に一時的に記憶される。一時記憶メモリ１８に記憶された画像データに基づく画像が表示装置２の表示画面上に表示される。
【００２３】
表示装置２の表示画面上に表示されている画像を表す画像データ（一時記憶メモリ１８に記憶されている画像データ）は，保存用メモリ１９に記憶（保存）させることができる。カメラ付携帯電話機１の操作者は，表示画面上に表示されている画像を確認し，画像データを保存するかどうかを決定する。操作者が画像データを保存する旨を操作ボタン群１０を用いて入力すると，一時記憶メモリ１８に一時的に記憶されている画像データが読出され，読出された画像データに対して画像処理回路１５とＣＰＵ１１とが協働して圧縮処理が行われる。圧縮画像データが保存用メモリ１９に記憶（保存）される。
【００２４】
ＣＰＵ１１にはさらに音声処理回路２２および送受信回路２３が接続されている。音声処理回路２２にはマイクロフォン９およびスピーカ３が接続されており，マイクロフォン９に与えられた音声に対して音声処理回路２２において電気的な音声信号への変換，ディジタル音声データへの変換，変調等の処理が施される。ディジタル音声データは送受信回路２３に与えられ，送受信回路２３によってアンテナ５から送信される。
【００２５】
他の携帯電話機等から受信される，または他の携帯電話機等に送信される呼データ（コーリング・データ）および音声データも，送受信回路２３によってアンテナ５を介して送受信される。呼データを受信すると，たとえば，スピーカ３から呼出音が出力される。カメラ付携帯電話機１の操作者が通話ボタン７を押下すると，他の携帯電話機等とカメラ付携帯電話機１との通信コネクションが確立される。受信された音声データが音声処理回路２２に与えられ，アナログ信号への変換，復調処理等が施された後スピーカ３に与えられる。スピーカ３から音声が出力される。
【００２６】
呼データが受信されてスピーカ３から呼出音が出力された後，通話を行うことなくその呼出を強制的に終了させることもできる。カメラ付携帯電話機１の操作者が切ボタン８を押下すると，呼データに基づくスピーカ３からの呼出音が停止する。通信コネクションは確立されない（呼出強制終了）。
【００２７】
図３は，画像圧縮処理中に着信があったときのカメラ付携帯電話機１の動作を示すフローチャートである。図４（Ａ）  は着信がない状態で画像圧縮処理が行われているときのＣＰＵ１１，音声処理回路２２，送受信回路２３，その他の回路のそれぞれの消費電力（供給電力）の量を示すグラフを，図４（Ｂ）  は画像圧縮処理中に着信があったときのＣＰＵ１１，音声処理回路２２，送受信回路２３，その他の回路のそれぞれの消費電力（供給電力）の量を示すグラフを示している。
【００２８】
上述のように，カメラ付携帯電話機１は被写体の撮影機能を持つ。操作者によって撮影のための操作が操作ボタン群１０が用いられて行われると，被写体が撮像され，得られた画像データに所定の画像処理が施され，画像処理後の画像データが一時記憶メモリ１８に一時的に保存される。一時記憶メモリ１８に記憶された画像データによって表される被写体像が表示装置２の表示画面上に表示される（ステップ４１）。
【００２９】
操作者によって表示装置２の表示画面上に表示されている画像を表す画像データの保存の操作が行われると，一時記憶メモリ１８に記憶されている画像データが読み出される。ＣＰＵ１１と画像処理回路１５とが協働して画像データに対して圧縮処理が実行される（ステップ４２）。
【００３０】
画像データの圧縮処理中，クロック制御回路１７は，クロック装置１６から与えられるクロック・パルスを比較的高速のクロックレートのままＣＰＵ１１に与える。高速のクロックレートのクロック・パルスが与えられるので，画像圧縮処理が高速に実行される。
【００３１】
画像データの圧縮処理中に呼データがアンテナ５によって受信されると（ステップ４３でＹＥＳ），ＣＰＵ１１はクロック制御回路１７に対して，ＣＰＵ１１へのクロック・パルスのクロックレートを下げる旨の制御信号を出力する。
【００３２】
クロック制御回路１７はＣＰＵ１１からＣＰＵ１１へのクロック・パルスのクロックレートを下げる旨の制御信号が与えられると，ＣＰＵ１１に出力するクロック・パルスのクロックレートを低下させる。ＣＰＵ１１に与えられるクロック・パルスのクロックレートが低下する（ステップ４４）。
【００３３】
図４（Ａ）  に示すように，通話のための処理が行われていない状態では，ＣＰＵ１１には高速のクロックレートのクロック・パルスが与えられており，ＣＰＵ１１の消費電力は比較的高い。電源回路２１からＣＰＵ１１には比較的高い電力が供給される。通話のための処理が行われていない状態では，音声処理回路２２には電力はほとんど供給されない。送受信回路２３には呼データの受信のスタンバイ（待機）のための微少な電力（スタンバイ電力）が供給される程度である。高速の画像圧縮処理が行われる。
【００３４】
画像データの圧縮処理中に呼データがアンテナ５によって受信され（着信），上述のようにＣＰＵ１１へ与えられるクロック・パルスのクロックレートが下げられると，ＣＰＵ１１の消費電力は低くなる。電源回路２１から供給される電力に余剰の電力が生じる。
【００３５】
呼データがアンテナ５によって受信されると，音声処理回路２２および送受信回路２３を含む通話のための回路は，通話機能の実現に必要な所定の電力を要求する。上述のように，ＣＰＵ１１へ与えられるクロック・パルスのクロックレートが下げられたことによって余剰の電力が生じているので，通話のための回路には，この余剰の電力が割り当てられる。音声処理回路２２および送受信回路２３を含む通話のための回路に電力が与えられる，または供給電力が上げられる。カメラ付携帯電話機１を用いた通話が可能になる。
【００３６】
操作者が切ボタン８を押下すると，切ボタン８が押下されたことがＣＰＵ１１，音声処理回路２２および送受信回路２３等において検知される（切ボタン８の押下は，通話を行うことなく押下された場合も，通話を終えて押下された場合のいずれをも含む）。音声処理回路２２および送受信回路２３を含む通話のために動作する回路は電力要求を停止する，または要求する電力量を低下させる。
【００３７】
ＣＰＵ１１は，クロック制御回路１７にＣＰＵ１１へのクロック・パルスのクロックレートを元の状態に戻す（クロックレートを上げる）旨の制御信号を出力する（ステップ４５）。切ボタン８が押下された時点において，画像圧縮処理が未だ終了していない場合（すなわち，ＣＰＵ１１は駆動している）には，クロックレートが上がるとＣＰＵ１１の要求電力量が上昇する。音声処理回路２２および送受信回路２３を含む通話のために動作する回路に供給されていた分の電力が再びＣＰＵ１１に供給される。高速クロックレートのクロック・パルスに基づいてＣＰＵ１１は再び高速に動作する。
【００３８】
このように，カメラ付携帯電話機１は，その通話機能を用いていない状態にあってはＣＰＵ１１の能力を最大限，画像圧縮処理に用いることができるようにクロック・パルスのクロックレートが設定され，高速の画像処理が行われる。画像圧縮処理中に着信があった場合には，通話ができる程度の電力を音声処理回路２２および送受信回路２３を含む通話のための回路に与えるために，クロック・パルスのクロックレートを下げることによって，ＣＰＵ１１に与えられている電力の一部が，通話のための回路に割り当てられる。カメラ付携帯電話機１の基本的な機能である通話機能を損なうことなく，できるだけ画像圧縮処理の速度を高めることができる。
【００３９】
図４（Ａ），（Ｂ）に示すＣＰＵ１１，音声処理回路２２，送受信回路２３，およびその他の回路の消費電力（供給電力）（その割合）は，カメラ付携帯電話機１に用いるこれらの回路の種類によって異なる。図４（Ａ），（Ｂ）のグラフとは異なる消費電力の回路を含むカメラ付携帯電話機であっても，画像圧縮処理中の呼データの受信時（着信時）に，上述のように，ＣＰＵ１１への供給電力を下げ，余剰の電力を送受信回路および音声処理回路等に割り当てることができるのは言うまでもない。
【００４０】
また，上述の例では，画像圧縮処理中の呼データ受信時（着信時）に，ＣＰＵ１１のクロック・パルスを下げることによりＣＰＵ１１への供給電力を低下させているが，ＣＰＵ１１に加えて，信号処理回路１５，一時記憶メモリ１８および保存用メモリ１９へのクロック・パルスを下げることにより，これらＣＰＵ１１，信号処理回路１５，一時記憶メモリ１８および保存用メモリ１９への供給電力を低下させるようにしてもよい。この場合であっても，余剰電力は通話のための回路（音声処理回路２２および送受信回路２３等）に供給される。カメラ付携帯電話機１の基本的な機能である通話機能が損なわれてしまうことがない。
【図面の簡単な説明】
【図１】カメラ付携帯電話機の斜視図である。
【図２】カメラ付携帯電話機の電気的構成を示すブロック図である。
【図３】画像データの圧縮処理中に着信があったときのカメラ付携帯電話機の動作の流れを示すフローチャートである。
【図４】（Ａ）  は画像圧縮処理中のＣＰＵ，音声処理回路，送受信回路およびその他の回路の消費電力の量を示すグラフであり，（Ｂ）  は画像圧縮処理中に着信があったときのＣＰＵ，音声処理回路，送受信回路およびその他の回路の消費電力の量を示すグラフである。
【符号の説明】
１  カメラ付携帯電話機レンズ
２  表示装置
３  スピーカ
４  レンズ
５  アンテナ
６  テンキーボタン
７  通話ボタン
８  切ボタン
９  マイクロフォン（レシーバ）
１０  入力ボタン群
１１  ＣＰＵ
１４  ＣＣＤ
１５  信号処理回路
１６  クロック装置
１７  クロック制御回路
１８  一時記憶メモリ
１９  保存用メモリ
２１  電源回路
２２  音声処理回路
２３  送受信回路
【図１】
2004336505.tif 000003
【図２】
2004336505.tif 000004
【図３】
2004336505.tif 000005
【図４】
2004336505.tif 000006